(57)【要約】  磁気記録タイプの既存のキャッシュカードやクレジットカードをそのまま利用でき、低コストで偽造カードの不正使用を防止するのに好適な偽造カード判別システム、真偽判定情報書込装置及び偽造カード判別装置を提供する。偽造カード判別システム１を、磁気カード読み取り部１ａと、磁気カード判定部１ｂと、真信号（アナログ信号）書き込み部１ｃとを含んだ構成とし、磁気カード上の全てのトラックデータをアナログ信号として読み込み、そのアナログ信号の波形を分析することにより、磁気カードの真偽を判別すると共に、対象の磁気カードが、真正カードである場合は、ＳＴＸ信号の書込位置前部およびＥＴＸ信号の書込位置後部に、独自のアルゴリズムに基づくアナログ信号データの書き込みを行うようにした。
2008032351.tif 000002
【特許請求の範囲】
【請求項１】
磁気記録媒体を有し且つ当該磁気記録媒体の所定記録位置にカード承認用の承認信号データが書き込まれた磁気カードについて、当該磁気カードが偽造カードであるか否かを判別する偽造カード判別システムであって、
暗号化判定用データに基づき、前記磁気カードが暗号化されているか否かを判定する暗号化判定手段と、
前記暗号化判定手段において前記磁気カードが暗号化されていると判定されたときに、前記磁気カードの磁気記録媒体における前記承認信号データの記録領域外に、前記真信号データが書き込まれているか否かを判定する真信号書込判定手段と、
前記暗号化判定手段において前記磁気カードが暗号化されていないと判定されたときに、前記承認信号データを暗号化すると共に、前記磁気記録媒体の前記承認信号データの記録領域外に、前記暗号化された承認信号データに基づく真信号データを書き込む真信号書込手段と、
前記真信号書込判定手段の判定結果に基づき、前記磁気カードが偽造カードであるか否かを判別する偽造判別手段と、を備えることを特徴とする偽造カード判別システム。
【請求項２】
前記真信号書込手段は、前記磁気記録媒体の前記承認信号データの記録領域外における、前記承認信号データの開始位置を示す開始信号データの記録位置前部、及び前記承認信号データの終了位置を示す終了信号データの記録位置後部の少なくとも一方に、前記真信号データを書き込むことを特徴とする請求項１記載の偽造カード判別システム。
【請求項３】
磁気記録媒体を有し且つ当該磁気記録媒体の所定記録位置にカード承認用の承認信号データが書き込まれた磁気カードの前記磁気記録媒体に、当該磁気カードの真偽を判定するための真信号データを書き込む真偽判定情報書込装置であって、
暗号化判定用データに基づき、前記磁気カードが暗号化されているか否かを判定する暗号化判定手段と、
前記暗号化判定手段において前記磁気カードが暗号化されていないと判定されたときに、前記承認信号データを暗号化すると共に、前記磁気記録媒体の前記承認信号データの記録領域外に、前記暗号化された承認信号データに基づく真信号データを書き込む真信号書込手段と、を備えることを特徴とする真偽判定情報書込装置。
【請求項４】
前記真信号書込手段は、前記磁気記録媒体の前記承認信号データの記録領域外における、前記承認信号データの開始位置を示す開始信号データの記録位置前部、及び前記承認信号データの終了位置を示す終了信号データの記録位置後部の少なくとも一方に、前記真信号データを書き込むことを特徴とする請求項３記載の真偽判定情報書込装置。
【請求項５】
磁気記録媒体を有し且つ当該磁気記録媒体の所定記録位置にカード承認用の承認信号データが書き込まれた磁気カードについて、当該磁気カードが偽造カードであるか否かを判別する偽造カード判別装置であって、
暗号化判定用データに基づき、前記磁気カードが暗号化されているか否かを判定する暗号化判定手段と、
前記暗号化判定手段において前記磁気カードが暗号化されていると判定されたときに、前記磁気カードの磁気記録媒体における前記承認信号データの記録領域外に、前記真信号データが書き込まれているか否かを判定する真信号書込判定手段と、
前記真信号書込判定手段の判定結果に基づき、前記磁気カードが偽造カードであるか否かを判別する偽造判別手段と、を備えることを特徴とする偽造カード判別装置。
【請求項６】
前記真信号書込判定手段は、前記磁気記録媒体の前記承認信号データの記録領域外における、前記承認信号データの開始位置を示す開始信号データの記録位置前部、及び前記承認信号データの終了位置を示す終了信号データの記録位置後部の少なくとも一方に、前記真信号データが書き込まれているか否かを判定するようになっていることを特徴とする請求項５記載の偽造カード判別装置。
【請求項７】
磁気記録媒体を有し且つ当該磁気記録媒体にカード承認用の承認信号データが書き込まれた磁気カードについて、当該磁気カードが偽造カードであるか否かを判別する偽造カード判別システムであって、
暗号化判定用データに基づき、前記磁気カードが暗号化されているか否かを判定する暗号化判定手段と、
前記暗号化判定手段において前記磁気カードが暗号化されていると判定されたときに、前記磁気カードの磁気記録媒体に、前記磁気カードの真偽を判定するための真信号データが書き込まれているか否かを判定する真信号書込判定手段と、
前記暗号化判定手段において暗号化されていないと判定されたときに、暗号生成用データに基づき、前記磁気記録媒体に書き込まれたデータを暗号化して前記真信号データを生成すると共に、当該生成した真信号データを前記磁気記録媒体に書き込む真信号書込手段と、
前記真信号書込判定手段の判定結果に基づき、前記磁気カードが偽造カードであるか否かを判別する偽造判別手段と、を備えることを特徴とする偽造カード判別システム。
【請求項８】
前記暗号生成用データに基づき、前記磁気記録媒体に書き込まれた同期信号データを暗号化すると共に、当該暗号化した同期信号データを前記磁気記録媒体に書き込む暗号化同期信号書込手段と、
前記真信号書込判定手段において前記真信号データが書き込まれていると判定されたときに、前記暗号生成用データに基づき、前記磁気記録媒体に前記暗号化された同期信号データが書き込まれているか否かを判定する暗号化同期信号書込判定手段と、を備え、
前記偽造判別手段は、前記真信号書込判定手段の判定結果と、前記暗号化同期信号書込判定手段の判定結果とに基づき、前記磁気カードが偽造カードであるか否かを判別することを特徴とする請求項７記載の偽造カード判別システム。
【請求項９】
磁気記録媒体を有し且つ当該磁気記録媒体にカード承認用の承認信号データが書き込まれた磁気カードについて、当該磁気カードが偽造カードであるか否かを判別する偽造カード判別システムであって、
暗号化判定用データに基づき、前記磁気カードが暗号化されているか否かを判定する暗号化判定手段と、
前記暗号化判定手段において前記磁気カードが暗号化されていないと判定されたときに、暗号生成用データに基づき、前記磁気記録媒体に書き込まれた同期信号データを暗号化すると共に、当該暗号化した同期信号データを前記磁気記録媒体に書き込む暗号化同期信号書込手段と、
前記暗号化判定手段において前記磁気カードが暗号化されていると判定されたときに、前記暗号生成用データに基づき、前記磁気記録媒体に前記暗号化された同期信号データが書き込まれているか否かを判定する暗号化同期信号書込判定手段と、
前記暗号化同期信号書込判定手段の判定結果に基づき、前記磁気カードが偽造カードであるか否かを判別する偽造判別手段と、を備えることを特徴とする偽造カード判別システム。
【請求項１０】
前記暗号化判定用データは、各磁気カード毎に設定される公開鍵データであり、
前記暗号化判定手段は、前記公開鍵データが設定されているときに、当該公開鍵データの設定された磁気カードが暗号化されていると判定することを特徴とする請求項７乃至請求項９のいずれか１項に記載の偽造カード判別システム。
【請求項１１】
前記暗号生成用データは、前記承認信号データ、公開鍵データ及び暗証番号データのうち少なくとも１つを含むことを特徴とする請求項７乃至請求項１０のいずれか１項に記載の偽造カード判別システム。
【請求項１２】
磁気記録媒体を有し且つ当該磁気記録媒体にカード承認用の承認信号データが書き込まれた磁気カードについて、当該磁気カードが偽造カードであるか否かを判別する偽造カード判別システムであって、
前記磁気カードの磁気記録媒体に、公開鍵データが書き込まれているか否かを判定する公開鍵データ書込判定手段と、
暗証番号データを取得する暗証番号データ取得手段と、
前記公開鍵データ書込判定手段において前記公開鍵データが書き込まれていると判定されたときに、当該書き込まれている公開鍵データ及び前記暗証番号データ取得手段で取得した暗証番号データに基づき、前記磁気カードの磁気記録媒体に、前記磁気カードの真偽を判定するための真信号データが書き込まれているか否かを判定する真信号書込判定手段と、
前記公開鍵データ書込判定手段において前記公開鍵データが書き込まれていないと判定されたときに、公開鍵データを生成すると共に、当該生成した公開鍵データを前記磁気記録媒体に書き込む公開鍵データ書込手段と、
前記公開鍵データ書込判定手段において前記公開鍵データが書き込まれていないと判定されたときに、前記公開鍵データ書込手段で生成した公開鍵データ及び前記暗証番号データ取得手段で取得した暗証番号データに基づき、前記磁気記録媒体に書き込まれたデータを暗号化して前記真信号データを生成すると共に、当該生成した真信号データを前記磁気記録媒体に書き込む真信号書込手段と、
前記真信号書込判定手段の判定結果に基づき、前記磁気カードが偽造カードであるか否かを判別する偽造判別手段と、を備えることを特徴とする偽造カード判別システム。
【請求項１３】
前記真信号書込手段は、前記公開鍵データ書込手段で生成した公開鍵データと、前記暗証番号データ取得手段で取得した暗証番号データと、前記磁気記録媒体に書き込まれた前記承認信号データとに基づき、前記磁気記録媒体に書き込まれたデータを暗号化して前記真信号データを生成し、
前記真信号書込判定手段は、前記公開鍵データ書込手段で生成した公開鍵データと、前記暗証番号データ取得手段で取得した暗証番号データと、前記磁気記録媒体に書き込まれた前記承認信号データとに基づき、前記真信号データの書き込み有無を判定することを特徴とする請求項１２記載の偽造カード判別システム。
【請求項１４】
前記公開鍵データ書込手段で生成した公開鍵データ及び前記暗証番号データ取得手段で取得した暗証番号データに基づき、前記磁気記録媒体に書き込まれた同期信号データを暗号化すると共に、当該暗号化した同期信号データを前記磁気記録媒体に書き込む暗号化同期信号書込手段と、
前記真信号書込判定手段において前記真信号データが書き込まれていると判定されたときに、前記書き込まれた公開鍵データ及び前記暗証番号データ取得手段で取得した暗証番号データに基づき、前記磁気記録媒体に前記暗号化された同期信号データが書き込まれているか否かを判定する暗号化同期信号書込判定手段と、を備え、
前記偽造判別手段は、前記真信号書込判定手段の判定結果と、前記暗号化同期信号書込判定手段の判定結果とに基づき、前記磁気カードが偽造カードであるか否かを判別することを特徴とする請求項１２又は請求項１３記載の偽造カード判別システム。
【請求項１５】
前記暗号化同期信号書込手段は、前記磁気記録媒体に書き込まれた前記同期信号データの信号波形の幅を変更することで、前記同期信号データの暗号化を行うことを特徴とする請求項１４記載の偽造カード判別システム。
【請求項１６】
前記暗号化同期信号書込手段は、前記公開鍵データ書込手段で生成した公開鍵データと、前記暗証番号データ取得手段で取得した暗証番号データと、前記磁気記録媒体に書き込まれた前記承認信号データとに基づき、前記磁気記録媒体に書き込まれた同期信号データを暗号化し、
前記暗号化同期信号書込判定手段は、前記公開鍵データ書込手段で生成した公開鍵データと、前記暗証番号データ取得手段で取得した暗証番号データと、前記磁気記録媒体に書き込まれた前記承認信号データとに基づき、前記暗号された同期信号の書き込み有無を判定することを特徴とする請求項１４又は請求項１５記載の偽造カード判別システム。
【請求項１７】
前記真信号書込手段は、前記磁気記録媒体の前記承認信号データの記録領域外における、前記承認信号データの開始位置を示す開始信号データの記録位置前部、及び前記承認信号データの終了位置を示す終了信号データの記録位置後部の少なくとも一方に、前記真信号データを書き込むことを特徴とする請求項７乃至請求項１６のいずれか１項に記載の偽造カード判別システム。
【発明の詳細な説明】
【技術分野】
【０００１】
本発明は、クレジットカードやキャッシュカードなどの磁気カードの偽造を判別するための偽造カード判別システム、真偽判定情報書込装置及び偽造カード判別装置に関する。
【背景技術】
【０００２】
近年、キャッシュカードのスキミングによる被害が増えている。犯罪の手口としては、盗撮やネットワークを悪用したハッキングなどがあり、これらによる偽造キャッシュカードの不正使用が多発している。しかし、これらを防止するための有効な策が見出せていないのが現状である。最近では、偽造カードによる被害を防止するためにＩＣカード化や生体認証システムが採用され始めている。
また、２００３年〜２００５年までの偽造クレジットカードによる被害額は、年間４００億円前後と推定されている。クレジット業界は、利用者保護をうたっているため、利用者が被害に気がつけば申し出により免除を行っているが、気がつかないで被害にあっている利用者も少なくないとされている。クレジット会社は、あらかじめ想定した被害額を上乗せした利用料を店舗及び利用者から手数料として徴収しているため直接的な被害は被っていない。
【発明の開示】
【０００３】
しかしながら、上記ＩＣカード化や生体認証システムは、予防策としては完全でない上に導入コストが高いために多大な投資を必要とする。
また、上記クレジット会社のように、被害額を想定した手数料を取るやり方では、利用者が余計な利用料金を負担せねばならず、また、利用料金の値上げなど顧客確保の面から見てクレジット会社にとっても多大な損失となる。
そこで、本発明は、このような従来の技術の有する未解決の課題に着目してなされたものであって、磁気記録タイプの既存のキャッシュカードやクレジットカードをそのまま利用でき、且つ低コストで偽造カードの不正使用を防止するのに好適な偽造カード判別システム、真偽判定情報書込装置及び偽造カード判別装置を提供することを目的としている。
【０００４】
上記目的を達成するために、本発明に係る請求項１記載の偽造判別システムは、
磁気記録媒体を有し且つ当該磁気記録媒体の所定記録位置にカード承認用の承認信号データが書き込まれた磁気カードについて、当該磁気カードが偽造カードであるか否かを判別する偽造カード判別システムであって、
暗号化判定用データに基づき、前記磁気カードが暗号化されているか否かを判定する暗号化判定手段と、
前記暗号化判定手段において前記磁気カードが暗号化されていると判定されたときに、前記磁気カードの磁気記録媒体における前記承認信号データの記録領域外に、前記真信号データが書き込まれているか否かを判定する真信号書込判定手段と、
前記暗号化判定手段において前記磁気カードが暗号化されていないと判定されたときに、前記承認信号データを暗号化すると共に、前記磁気記録媒体の前記承認信号データの記録領域外に、前記暗号化された承認信号データに基づく真信号データを書き込む真信号書込手段と、
前記真信号書込判定手段の判定結果に基づき、前記磁気カードが偽造カードであるか否かを判別する偽造判別手段と、を備えることを特徴としている。
【０００５】
このような構成であれば、暗号化判定手段によって、暗号化判定用データに基づき、前記磁気カードが暗号化されているか否かを判定することが可能であり、真信号書込判定手段によって、前記暗号化判定手段において前記磁気カードが暗号化されていると判定されたときに、前記磁気カードの磁気記録媒体における前記承認信号データの記録領域外に、前記真信号データが書き込まれているか否かを判定することが可能であり、真信号書込手段によって、前記暗号化判定手段において前記磁気カードが暗号化されていないと判定されたときに、前記承認信号データを暗号化すると共に、前記磁気記録媒体の前記承認信号データの記録領域外に、前記暗号化された承認信号データに基づく真信号データを書き込むことが可能である。
【０００６】
更に、偽造判別手段によって、前記真信号書込判定手段の判定結果に基づき、前記磁気カードが偽造カードであるか否かを判別することが可能である。
つまり、一般に用いられている（既存の）、磁気記録タイプのキャッシュカードや、クレジットカードなどの磁気カードの磁気記録媒体（磁気ストライプ）に記録されたカード承認用の信号データの記録領域外に、これらのカードが偽造カードであるか否かを判別するための真信号データを書き込むことが可能である。
【０００７】
更に、この真信号データの書き込みが行われた承認信号データを有する磁気カードに対して、真信号データの書き込み有無を判定することで、その磁気カードが偽造カードであるか否かを判別することが可能である。
更に、請求項２に係る発明は、請求項１記載の偽造カード判別システムにおいて、
前記真信号書込手段は、前記磁気記録媒体の前記承認信号データの記録領域外における、前記承認信号データの開始位置を示す開始信号データの記録位置前部、及び前記承認信号データの終了位置を示す終了信号データの記録位置後部の少なくとも一方に、前記真信号データを書き込むことを特徴としている。
【０００８】
このような構成であれば、例えば、キャッシュカードにおける承認信号データ（ＪＩＳIIデータ）の始めと終わりを示すＳＴＸ信号及びＥＴＸ信号の前後（磁気ストライプのＪＩＳIIデータの記録領域外）に、真信号データを書き込むことが可能である。
カード偽造者は、スキミング用の機器に、前述したＳＴＸ信号及びＥＴＸ信号を認識させて承認信号データを盗むので、上記のような構成にすることによって、真信号データがＪＩＳIIデータの記録領域外に書き込まれるため、真信号データを盗まれないようにすることが可能である。
【０００９】
一方、上記目的を達成するために、請求項３記載の真偽判定情報書込装置は、
磁気記録媒体を有し且つ当該磁気記録媒体の所定記録位置にカード承認用の承認信号データが書き込まれた磁気カードの前記磁気記録媒体に、当該磁気カードの真偽を判定するための真信号データを書き込む真偽判定情報書込装置であって、
暗号化判定用データに基づき、前記磁気カードが暗号化されているか否かを判定する暗号化判定手段と、
前記暗号化判定手段において前記磁気カードが暗号化されていないと判定されたときに、前記承認信号データを暗号化すると共に、前記磁気記録媒体の前記承認信号データの記録領域外に、前記暗号化された承認信号データに基づく真信号データを書き込む真信号書込手段と、を備えることを特徴としている。
【００１０】
このような構成であれば、暗号化判定手段によって、暗号化判定用データに基づき、前記磁気カードが暗号化されているか否かを判定することが可能であり、真信号書込判定手段によって、前記暗号化判定手段において前記磁気カードが暗号化されていないと判定されたときに、前記承認信号データを暗号化すると共に、前記磁気記録媒体の前記承認信号データの記録領域外に、前記暗号化された承認信号データに基づく真信号データを書き込むことが可能である。
【００１１】
つまり、上記請求項１の偽造カード判別システムと同様に、一般に用いられている（既存の）、磁気記録タイプのキャッシュカードや、クレジットカードなどの磁気カードの磁気記録媒体（磁気ストライプ）に記録されたカード承認用の信号データの記録領域外に、これらのカードが偽造カードであるか否かを判別するための真信号データを書き込むことが可能である。
更に、請求項４に係る発明は、請求項３記載の真偽判定情報書込装置において、
前記真信号書込手段は、前記磁気記録媒体の前記承認信号データの記録領域外における、前記承認信号データの開始位置を示す開始信号データの記録位置前部、及び前記承認信号データの終了位置を示す終了信号データの記録位置後部の少なくとも一方に、前記真信号データを書き込むことを特徴としている。
【００１２】
このような構成であれば、例えば、キャッシュカードにおける承認信号データ（ＪＩＳIIデータ）の始めと終わりを示すＳＴＸ信号及びＥＴＸ信号の前後（磁気ストライプのＪＩＳIIデータの記録領域外）に、真信号データを書き込むことが可能である。
カード偽造者は、スキミング用の機器に、前述したＳＴＸ信号及びＥＴＸ信号を認識させて承認信号データを盗むので、上記のような構成にすることによって、真信号データがＪＩＳIIデータの記録領域外に書き込まれるため、真信号データを盗まれないようにすることが可能である。
【００１３】
一方、上記目的を達成するために、請求項５記載の偽造カード判別装置は、
磁気記録媒体を有し且つ当該磁気記録媒体の所定記録位置にカード承認用の承認信号データが書き込まれた磁気カードについて、当該磁気カードが偽造カードであるか否かを判別する偽造カード判別装置であって、
暗号化判定用データに基づき、前記磁気カードが暗号化されているか否かを判定する暗号化判定手段と、
前記暗号化判定手段において前記磁気カードが暗号化されていると判定されたときに、前記磁気カードの磁気記録媒体における前記承認信号データの記録領域外に、前記真信号データが書き込まれているか否かを判定する真信号書込判定手段と、
前記真信号書込判定手段の判定結果に基づき、前記磁気カードが偽造カードであるか否かを判別する偽造判別手段と、を備えることを特徴としている。
【００１４】
このような構成であれば、暗号化判定手段によって、暗号化判定用データに基づき、前記磁気カードが暗号化されているか否かを判定することが可能であり、真信号書込判定手段によって、前記暗号化判定手段において前記磁気カードが暗号化されていると判定されたときに、前記磁気カードの磁気記録媒体における前記承認信号データの記録領域外に、前記真信号データが書き込まれているか否かを判定することが可能であり、偽造判別手段によって、前記真信号書込判定手段の判定結果に基づき、前記磁気カードが偽造カードであるか否かを判別することが可能である。
【００１５】
つまり、承認信号データの真偽と、上記請求項１若しくは２記載の偽造カード判別システム、又は上記請求項３若しくは４記載の真偽判定情報書込装置などによって、前記承認信号データの記録領域外に書き込まれる真信号データの書込の有無に基づき、対象の磁気カードが偽造カードであるか否かを判別することが可能である。
更に、請求項６に係る発明は、請求項５記載の偽造カード判別装置において、
前記真信号書込判定手段は、前記磁気記録媒体の前記承認信号データの記録領域外における、前記承認信号データの開始位置を示す開始信号データの記録位置前部、及び前記承認信号データの終了位置を示す終了信号データの記録位置後部の少なくとも一方に、前記真信号データが書き込まれているか否かを判定するようになっていることを特徴としている。
【００１６】
このような構成であれば、前記真信号書込判定手段は、前記磁気記録媒体の前記承認信号データの記録領域外における、前記承認信号データの開始位置を示す開始信号データの記録位置前部、及び前記承認信号データの終了位置を示す終了信号データの記録位置後部の少なくとも一方に、前記真信号データが書き込まれているか否かを判定することが可能である。
一方、上記目的を達成するために、請求項７記載の偽造カード判別システムは、
磁気記録媒体を有し且つ当該磁気記録媒体にカード承認用の承認信号データが書き込まれた磁気カードについて、当該磁気カードが偽造カードであるか否かを判別する偽造カード判別システムであって、
暗号化判定用データに基づき、前記磁気カードが暗号化されているか否かを判定する暗号化判定手段と、
前記暗号化判定手段において前記磁気カードが暗号化されていると判定されたときに、前記磁気カードの磁気記録媒体に、前記磁気カードの真偽を判定するための真信号データが書き込まれているか否かを判定する真信号書込判定手段と、
前記暗号化判定手段において暗号化されていないと判定されたときに、暗号生成用データに基づき、前記磁気記録媒体に書き込まれたデータを暗号化して前記真信号データを生成すると共に、当該生成した真信号データを前記磁気記録媒体に書き込む真信号書込手段と、
前記真信号書込判定手段の判定結果に基づき、前記磁気カードが偽造カードであるか否かを判別する偽造判別手段と、を備えることを特徴としている。
【００１７】
このような構成であれば、暗号化判定手段によって、暗号化判定用データに基づき、前記磁気カードが暗号化されているか否かを判定することが可能であり、真信号書込判定手段によって、前記暗号化判定手段において前記磁気カードが暗号化されていると判定されたときに、前記磁気カードの磁気記録媒体に、前記磁気カードの真偽を判定するための真信号データが書き込まれているか否かを判定することが可能であり、真信号書込手段によって、前記暗号化判定手段において暗号化されていないと判定されたときに、暗号生成用データに基づき、前記磁気記録媒体に書き込まれたデータを暗号化して前記真信号データを生成すると共に、当該生成した真信号データを前記磁気記録媒体に書き込むことが可能である。
【００１８】
また、偽造判別手段によって、前記真信号書込判定手段の判定結果に基づき、前記磁気カードが偽造カードであるか否かを判別することが可能である。
つまり、一般に用いられている（既存の）、磁気記録タイプのキャッシュカードや、クレジットカードなどの磁気カードが暗号化処理されているか否かを、例えば、銀行などの情報センターで保持されたり、磁気カードの磁気記録媒体（磁気ストライプ）に書き込まれたりなどして、各磁気カード毎に設定されている公開鍵データなどの暗号化判定用データの有無によって確認できる。
【００１９】
また、暗号化されていないと判定されたときに、前記磁気カードの磁気記録媒体（磁気ストライプ）に当該磁気カードの真偽を判定するための真信号データを書き込むことが可能であり、更に、暗号化されていると判定されたときに、前記磁気記録媒体に、真信号データが書き込まれているか否かを判定することが可能である。
これにより、暗号化の有無及び真信号データの書き込み有無を判定することで、その磁気カードが偽造カードであるか否かを判別することが可能である。
【００２０】
更に、請求項８に係る発明は、請求項７記載の偽造カード判別システムにおいて、
前記暗号生成用データに基づき、前記磁気記録媒体に書き込まれた同期信号データを暗号化すると共に、当該暗号化した同期信号データを前記磁気記録媒体に書き込む暗号化同期信号書込手段と、
前記真信号書込判定手段において前記真信号データが書き込まれていると判定されたときに、前記暗号生成用データに基づき、前記磁気記録媒体に前記暗号化された同期信号データが書き込まれているか否かを判定する暗号化同期信号書込判定手段と、を備え、
前記偽造判別手段は、前記真信号書込判定手段の判定結果と、前記暗号化同期信号書込判定手段の判定結果とに基づき、前記磁気カードが偽造カードであるか否かを判別することを特徴としている。
【００２１】
このような構成であれば、暗号化同期信号書込手段によって、前記暗号生成用データに基づき、前記磁気記録媒体に書き込まれた同期信号データを暗号化すると共に、当該暗号化した同期信号データを前記磁気記録媒体に書き込むことが可能であり、暗号化同期信号書込判定手段によって、前記真信号書込判定手段において前記真信号データが書き込まれていると判定されたときに、前記暗号生成用データに基づき、前記磁気記録媒体に前記暗号化された同期信号データが書き込まれているか否かを判定することが可能である。
【００２２】
また、前記偽造判別手段は、前記真信号書込判定手段の判定結果と、前記暗号化同期信号書込判定手段の判定結果とに基づき、前記磁気カードが偽造カードであるか否かを判別することが可能である。
これにより、磁気記録媒体（磁気ストライプ）に書き込まれた各種データを読み取るための同期信号を暗号化して、当該磁気記録媒体に書き込む（書き換える）ことができるので、真信号データが書き込まれたキャッシュカード及びクレジットカードなどの磁気カードに対して、真信号データの書き込み有無の判定に加え、暗号化後の同期信号データの書き込み有無を判定することができるので、より確実に、前記磁気カードが偽造カードであるか否かを判別することが可能である。
【００２３】
また、同期信号は、磁気カードに書き込まれた情報を読み出すためのタイミング信号であることから、磁気カードの真偽判定のために同期信号のデジタルデータに細工をしようという考えには普通及ばない。従って、この同期信号のアナログ波形を、例えば、同期信号としての機能を保持した状態で暗号化し、磁気カードの真偽判定に用いることは、カード偽造者に暗号化箇所を気づかせないという点で効果が大きく、これによって、より安全性を高めることが可能である。
【００２４】
また、上記目的を達成するために、請求項９記載の偽造カード判別システムは、
磁気記録媒体を有し且つ当該磁気記録媒体にカード承認用の承認信号データが書き込まれた磁気カードについて、当該磁気カードが偽造カードであるか否かを判別する偽造カード判別システムであって、
暗号化判定用データに基づき、前記磁気カードが暗号化されているか否かを判定する暗号化判定手段と、
前記暗号化判定手段において前記磁気カードが暗号化されていないと判定されたときに、暗号生成用データに基づき、前記磁気記録媒体に書き込まれた同期信号データを暗号化すると共に、当該暗号化した同期信号データを前記磁気記録媒体に書き込む暗号化同期信号書込手段と、
前記暗号化判定手段において前記磁気カードが暗号化されていると判定されたときに、前記暗号生成用データに基づき、前記磁気記録媒体に前記暗号化された同期信号データが書き込まれているか否かを判定する暗号化同期信号書込判定手段と、
前記暗号化同期信号書込判定手段の判定結果に基づき、前記磁気カードが偽造カードであるか否かを判別する偽造判別手段と、を備えることを特徴としている。
【００２５】
このような構成であれば、暗号化判定手段によって、暗号化判定用データに基づき、前記磁気カードが暗号化されているか否かを判定することが可能であり、暗号化同期信号書込手段によって、前記暗号化判定手段において前記磁気カードが暗号化されていないと判定されたときに、暗号生成用データに基づき、前記磁気記録媒体に書き込まれた同期信号データを暗号化すると共に、当該暗号化した同期信号データを前記磁気記録媒体に書き込むことが可能である。
【００２６】
また、暗号化同期信号書込判定手段によって、前記暗号化判定手段において前記磁気カードが暗号化されていると判定されたときに、前記暗号生成用データに基づき、前記磁気記録媒体に前記暗号化された同期信号データが書き込まれているか否かを判定することが可能であり、偽造判別手段によって、前記暗号化同期信号書込判定手段の判定結果に基づき、前記磁気カードが偽造カードであるか否かを判別することが可能である。
これにより、磁気記録媒体（磁気ストライプ）に書き込まれた各種データを読み取るための同期信号を暗号化して、当該磁気記録媒体に書き込む（書き換える）ことができるので、キャッシュカード及びクレジットカードなどの磁気カードに対して、暗号化後の同期信号データの書き込み有無を判定することで、前記磁気カードが偽造カードであるか否かを判別することが可能である。
【００２７】
また、同期信号は、磁気カードに書き込まれた情報を読み出すためのタイミング信号であることから、磁気カードの真偽判定のために同期信号のデジタルデータに細工をしようという考えには普通及ばない。従って、この同期信号のアナログ波形を、例えば、同期信号としての機能を保持した状態で暗号化し、磁気カードの真偽判定に用いることは、カード偽造者に暗号化箇所を気づかせないという点で効果が大きく、これによって、安全性を高めることが可能である。
【００２８】
更に、請求項１０に係る発明は、請求項７乃至請求項９のいずれか１項に記載の偽造カード判別システムにおいて、
前記暗号化判定用データは、各磁気カード毎に設定される公開鍵データであり、
前記暗号化判定手段は、前記公開鍵データが設定されているときに、当該公開鍵データの設定された磁気カードが暗号化されていると判定することを特徴としている。
このような構成であれば、例えば、銀行などの情報センターで保持されたり、磁気カードの磁気記録媒体（磁気ストライプ）に書き込まれたりなどして、各磁気カード毎に設定されている公開鍵データの有無によって、簡易に磁気カードが暗号化されているか否かを判定することが可能である。また、例えば、キャッシュカードなどに対して、公開鍵データの変更及び真信号データの変更を定期的（本発明を適用したサービスを利用する毎でも良い）に行うことで、このキャッシュカードを用いたサービスの利用に対する安全性を、より高めることが可能である。
【００２９】
更に、請求項１１に係る発明は、請求項７乃至請求項１０のいずれか１項に記載の偽造カード判別システムにおいて、
前記暗号生成用データは、前記承認信号データ、公開鍵データ及び暗証番号データのうち少なくとも１つを含むことを特徴としている。
このような構成であれば、承認信号データ、公開鍵データ及び暗証番号データのうち少なくとも１つを用いて暗号化を行うことができるので、簡易に真信号データを生成することができると共に、これら全てを用いて暗号化を行うことで、より安全性の高い暗号化を行うことが可能である。
【００３０】
一方、上記目的を達成するために、請求項１２記載の偽造カード判別システムは、
磁気記録媒体を有し且つ当該磁気記録媒体にカード承認用の承認信号データが書き込まれた磁気カードについて、当該磁気カードが偽造カードであるか否かを判別する偽造カード判別システムであって、
前記磁気カードの磁気記録媒体に、公開鍵データが書き込まれているか否かを判定する公開鍵データ書込判定手段と、
暗証番号データを取得する暗証番号データ取得手段と、
前記公開鍵データ書込判定手段において前記公開鍵データが書き込まれていると判定されたときに、当該書き込まれている公開鍵データ及び前記暗証番号データ取得手段で取得した暗証番号データに基づき、前記磁気カードの磁気記録媒体に、前記磁気カードの真偽を判定するための真信号データが書き込まれているか否かを判定する真信号書込判定手段と、
前記公開鍵データ書込判定手段において前記公開鍵データが書き込まれていないと判定されたときに、公開鍵データを生成すると共に、当該生成した公開鍵データを前記磁気記録媒体に書き込む公開鍵データ書込手段と、
前記公開鍵データ書込判定手段において前記公開鍵データが書き込まれていないと判定されたときに、前記公開鍵データ書込手段で生成した公開鍵データ及び前記暗証番号データ取得手段で取得した暗証番号データに基づき、前記磁気記録媒体に書き込まれたデータを暗号化して前記真信号データを生成すると共に、当該生成した真信号データを前記磁気記録媒体に書き込む真信号書込手段と、
前記真信号書込判定手段の判定結果に基づき、前記磁気カードが偽造カードであるか否かを判別する偽造判別手段と、を備えることを特徴としている。
【００３１】
このような構成であれば、公開鍵データ書込判定手段によって、前記磁気カードの磁気記録媒体に、公開鍵データが書き込まれているか否かを判定することが可能であり、暗証番号データ取得手段によって、暗証番号データを取得することが可能であり、真信号書込判定手段によって、前記公開鍵データ書込判定手段において前記公開鍵データが書き込まれていると判定されたときに、当該書き込まれている公開鍵データ及び前記暗証番号データ取得手段で取得した暗証番号データに基づき、前記磁気カードの磁気記録媒体に、前記磁気カードの真偽を判定するための真信号データが書き込まれているか否かを判定することが可能である。
【００３２】
更に、公開鍵データ書込手段によって、前記公開鍵データ書込判定手段において前記公開鍵データが書き込まれていないと判定されたときに、公開鍵データを生成すると共に、当該生成した公開鍵データを前記磁気記録媒体に書き込むことが可能であり、真信号書込手段によって、前記公開鍵データ書込判定手段において前記公開鍵データが書き込まれていないと判定されたときに、前記公開鍵データ書込手段で生成した公開鍵データ及び前記暗証番号データ取得手段で取得した暗証番号データに基づき、前記磁気記録媒体に書き込まれたデータを暗号化して前記真信号データを生成すると共に、当該生成した真信号データを前記磁気記録媒体に書き込むことが可能である。
【００３３】
なお更に、偽造判別手段によって、前記真信号書込判定手段の判定結果に基づき、前記磁気カードが偽造カードであるか否かを判別することが可能である。
つまり、一般に用いられている（既存の）、磁気記録タイプのキャッシュカードや、クレジットカードなどの磁気カードの磁気記録媒体（磁気ストライプ）に真信号データの真偽を判定するための公開鍵データを書き込むことが可能であり、更に、公開鍵データ及び暗証番号データに基づき、前記磁気記録媒体に、これらのカードが偽造カードであるか否かを判別するための真信号データを書き込むことが可能である。
【００３４】
これにより、公開鍵データ及び真信号データの書き込まれたキャッシュカード及びクレジットカードなどの磁気カードに対して、公開鍵データ及び暗証番号データに基づき真信号データの書き込み有無を判定することで、その磁気カードが偽造カードであるか否かを判別することが可能である。
更に、請求項１３に係る発明は、請求項１２記載の偽造カード判別システムにおいて、
前記真信号書込手段は、前記公開鍵データ書込手段で生成した公開鍵データと、前記暗証番号データ取得手段で取得した暗証番号データと、前記磁気記録媒体に書き込まれた前記承認信号データとに基づき、前記磁気記録媒体に書き込まれたデータを暗号化して前記真信号データを生成し、
前記真信号書込判定手段は、前記公開鍵データ書込手段で生成した公開鍵データと、前記暗証番号データ取得手段で取得した暗証番号データと、前記磁気記録媒体に書き込まれた前記承認信号データとに基づき、前記真信号データの書き込み有無を判定することを特徴としている。
【００３５】
このような構成であれば、公開鍵データ及び暗証番号データに加え、更に、承認信号データを用いて暗号化を行うことができるので、より安全性の高い真信号データを生成することが可能である。
更に、請求項１４に係る発明は、請求項１２又は請求項１３記載の偽造カード判別システムにおいて、
前記公開鍵データ書込手段で生成した公開鍵データ及び前記暗証番号データ取得手段で取得した暗証番号データに基づき、前記磁気記録媒体に書き込まれた同期信号データを暗号化すると共に、当該暗号化した同期信号データを前記磁気記録媒体に書き込む暗号化同期信号書込手段と、
前記真信号書込判定手段において前記真信号データが書き込まれていると判定されたときに、前記書き込まれた公開鍵データ及び前記暗証番号データ取得手段で取得した暗証番号データに基づき、前記磁気記録媒体に前記暗号化された同期信号データが書き込まれているか否かを判定する暗号化同期信号書込判定手段と、を備え、
前記偽造判別手段は、前記真信号書込判定手段の判定結果と、前記暗号化同期信号書込判定手段の判定結果とに基づき、前記磁気カードが偽造カードであるか否かを判別することを特徴としている。
【００３６】
このような構成であれば、暗号化同期信号書込手段によって、前記公開鍵データ書込手段で生成した公開鍵データ及び前記暗証番号データ取得手段で取得した暗証番号データに基づき、前記磁気記録媒体に書き込まれた同期信号データを暗号化すると共に、当該暗号化した同期信号データを前記磁気記録媒体に書き込むことが可能であり、暗号化同期信号書込判定手段によって、前記真信号書込判定手段において前記真信号データが書き込まれていると判定されたときに、前記書き込まれた公開鍵データ及び前記暗証番号データ取得手段で取得した暗証番号データに基づき、前記磁気記録媒体に前記暗号化された同期信号データが書き込まれているか否かを判定することが可能である。
【００３７】
また、前記偽造判別手段は、前記真信号書込判定手段の判定結果と、前記暗号化同期信号書込判定手段の判定結果とに基づき、前記磁気カードが偽造カードであるか否かを判別することが可能である。
これにより、磁気記録媒体（磁気ストライプ）に書き込まれた各種データを読み取るための同期信号を暗号化して、当該磁気記録媒体に書き込む（書き換える）ことができるので、公開鍵データ及び真信号データが書き込まれたキャッシュカード及びクレジットカードのなどの磁気カードに対して、真信号データの書き込み有無の判定に加え、暗号化後の同期信号データの書き込み有無を判定することができるので、より確実に、前記磁気カードが偽造カードであるか否かを判別することが可能である。
【００３８】
更に、請求項１５に係る発明は、請求項１４記載の偽造カード判別システムにおいて、
前記暗号化同期信号書込手段は、前記磁気記録媒体に書き込まれた前記同期信号データの信号波形の幅を変更することで、前記同期信号データの暗号化を行うことを特徴としている。
このような構成であれば、例えば、同期信号のアナログ波形の幅を、その変更後において、同期信号としての機能を変更前と同様に発揮する範囲内で変更することで、暗号化した同期信号データを書き込んだ後も、そのクレジットカードやキャッシュカードを、本システムを適用していない他のシステムのＡＴＭなどにおいても用いることが可能である。
【００３９】
更に、請求項１６に係る発明は、請求項１４又は至請求項１５に記載の偽造カード判別システムにおいて、
前記暗号化同期信号書込手段は、前記公開鍵データ書込手段で生成した公開鍵データと、前記暗証番号データ取得手段で取得した暗証番号データと、前記磁気記録媒体に書き込まれた前記承認信号データとに基づき、前記磁気記録媒体に書き込まれた同期信号データを暗号化し、
前記暗号化同期信号書込判定手段は、前記公開鍵データ書込手段で生成した公開鍵データと、前記暗証番号データ取得手段で取得した暗証番号データと、前記磁気記録媒体に書き込まれた前記承認信号データとに基づき、前記暗号された同期信号の書き込み有無を判定することを特徴としている。
【００４０】
このような構成であれば、公開鍵データ及び暗証番号データに加え、更に、承認信号データを用いて暗号化を行うことができるので、同期信号データに対してより安全性の高い暗号化を行うことが可能である。
更に、請求項１７に係る発明は、請求項７乃至請求項１６のいずれか１項に記載の偽造カード判別システムにおいて、
【００４１】
前記真信号書込手段は、前記磁気記録媒体の前記承認信号データの記録領域外における、前記承認信号データの開始位置を示す開始信号データの記録位置前部、及び前記承認信号データの終了位置を示す終了信号データの記録位置後部の少なくとも一方に書き込まれたデータを暗号化して、前記真信号データを生成すると共に、当該生成した真信号データを、前記磁気記録媒体における暗号化前のデータと同じ記録位置に書き込むことを特徴としている。
これにより、請求項２記載の偽造カード判別システムと同等の作用及び効果が得られる。
【図面の簡単な説明】
【００４２】
【図１】本発明に係る偽造カード判別システム１の構成を示すブロック図である。
【図２】真信号データの書き込み位置の一例を示す図である。
【図３】偽造カード判別システム１の動作処理を示すフローチャートである。
【図４】（ａ）は、磁気ストライプに記録されているデータの暗号化前後の信号波形を示す図であり、（ｂ）は、同期信号データの暗号化前後の信号波形を示す図である。
【図５】変形例における偽造カード判別システム１の動作処理を示すフローチャートである。
【発明を実施するための最良の形態】
【００４３】
以下、本発明の実施の形態を図面に基づき説明する。図１〜図３は、本発明に係る偽造カード判別システム、真偽判定情報書込装置及び偽造カード判別装置の実施の形態を示す図である。
まず、本発明に係る偽造カード判別システムの構成を図１に基づき説明する。図１は、本発明に係る偽造カード判別システム１の構成を示すブロック図である。
この偽造カード判別システム１は、磁気カード上の全てのトラックデータをアナログ信号として読み込み、そのアナログ信号の波形を分析することにより、磁気カードの真偽を判別するシステムである。また、対象の磁気カードが、暗号化されていない場合は、ＳＴＸ信号の書込位置前部およびＥＴＸ信号の書込位置後部に、独自のアルゴリズムに基づくアナログ信号の書き込みを行う。ここで、ＳＴＸ信号は、カード認識領域内においてのデータ開始を示すスタート信号であり、ＥＴＸ信号は、カード認識領域内においてのデータ終了を示すエンド信号である。【００４４】
偽造カード判別システム１は、図１に示すように、磁気カード読み取り部１ａと、磁気カード判定部１ｂと、真信号（アナログ信号）書き込み部１ｃとを含んで構成される。
以下、磁気カードがキャッシュカードである場合について、偽造カード判別システム１の動作を説明する。なお、以下の説明において、暗証番号を用いた認証処理（本人確認）は実行済みであるとする。
まず、磁気カード読み取り部１ａにおいて、キャッシュカードの磁気ストライプに記録されたＪＩＳIIデータを読み込む。磁気カード読み取り部１ａにおいて読み込んだデータは、磁気カード判定部１ｂに送られる。【００４５】
次に、磁気カード判定部１ｂにおいて、対象のキャッシュカードが暗号化されたものであるか否かを判定する。本実施の形態において、暗号化の有無は、前記読み出したＪＩＳIIデータに特定データ（暗号化判定用データ）が含まれているか否かで行う。つまり、特定データが含まれている場合は暗号化されていると判定し、特定データが含まれていない場合は暗号化されていないと判定する。
そして、磁気カード判定部１ｂにおいて、暗号化されていないと判定されたキャッシュカードについては、真信号書き込み部１ｃにおいて、ＪＩＳIIデータに基づき決定される位置のデータを暗号化して真信号データを生成し、当該キャッシュカードのＪＩＳIIデータの書き込み領域外における、当該ＪＩＳIIデータのＳＴＸ信号データの書き込み位置前部と、ＥＴＸ信号データの書き込み位置後部とに、前記生成した真信号（アナログ信号）データの書き込みを行う。【００４６】
また、真信号書き込み部１ｃは、磁気カード判定部１ｂにおいて、暗号化されていると判定されたキャッシュカードについては、前記ＳＴＸ信号データの書き込み位置前部、及び前記ＥＴＸ信号データの書き込み位置後部に、真信号（アナログ信号）データが書き込まれているか否かを判定し、真信号（アナログ信号）データが書き込まれている場合には、当該キャッシュカードが正規のもの（真正カード）であると判別する。一方、真信号データが書き込まれていない場合には、当該キャッシュカードは偽造カードであると判別する。【００４７】
つまり、対象の磁気カードが暗号化されている場合に、真信号データの書き込み有無を判定する。そして、真信号データが書き込まれている場合は、対象の磁気カードは正規のもの（真正カード）であると判別し、一方、真信号データが書き込まれていない場合は、対象の磁気カードは偽造カードであると判別する。
ここで、磁気カードのトラックの記録形式は、Ｆ２Ｆ（Two-frequency）記録方式でトラックにデータが記録される形式となる。【００４８】
更に、図２に基づき、真信号（アナログ信号）データの書き込み方法について説明する。ここで、図２は、真信号データの書き込み位置の一例を示す図である。
真信号書き込み部１ｃにおける、真信号データの書き込み処理は、カードリーダ認識領域の始めにあるＳＴＸ信号を認識して、図２に示すように、ＳＴＸ信号書き込み位置の０．５［ｍｍ］手前に真信号（アナログ信号）データの書き込みを行う。更に、カードリーダ認識領域の最後尾にあるＥＴＸ信号を認識して、図２に示すように、ＥＴＸ信号書き込み位置の０．５［ｍｍ］後に真信号（アナログ信号）データの書き込みを行う。【００４９】
更に、図３に基づき、偽造カード判別システム１の動作処理の流れを説明する。ここで、図３は、偽造カード判別システム１の動作処理を示すフローチャートである。
カード挿入部（不図示）にキャッシュカードが挿入されると、図３に示すように、まずステップＳ１００に移行し、磁気カード読み取り部１ａにおいて、キャッシュカードの磁気ストライプから１トラックのＪＩＳIIデータを読み出し、次いでステップＳ１０２に移行して、磁気カード判定部１ｂにおいて、対象のキャッシュカードが暗号化されているか否かを判定する。つまり、１トラックのＪＩＳIIデータを分析し、特定データ（暗号化判定用データ）が含まれている場合（Ｙｅｓ）に、ステップＳ１０４に移行して、真信号データの書き込み有無を判定する。【００５０】
ステップＳ１０４に移行した場合は、真信号書き込み部１ｃにおいて、キャッシュカードの磁気ストライプにおけるＪＩＳIIデータのデータ記録領域外に、真信号（アナログ信号）データが書き込まれているか否かを判定し、書き込まれていると判定された場合（Ｙｅｓ）は、ステップＳ１０６に移行し、書き込まれていないと判定された場合（Ｎｏ）は、ステップＳ１０８に移行する。
ステップＳ１０６に移行した場合は、磁気カード判定部１ｂにおいて、対象のキャッシュカードが真正カードであると判別して処理を終了する。【００５１】
一方、ステップＳ１０８に移行した場合は、磁気カード判定部１ｂにおいて、対象のキャッシュカードが偽造カードであると判別して処理を終了する。
また、ステップＳ１０２において、対象のキャッシュカードが暗号化されていないと判定され、ステップＳ１１０に移行した場合は、ＪＩＳIIデータに基づき暗号化対象のデータ位置を決定し、当該決定した位置のデータを暗号化して真信号データを生成する。そして、当該生成した真信号データをキャッシュカードの磁気ストライプにおけるＪＩＳIIデータのデータ記録領域外に書き込み、処理を終了する。【００５２】
上記実施の形態において、磁気カード判定部１ｂにおける暗号化有無の判定処理は、請求項１、３及び５のいずれか１項に記載の暗号化判定手段に対応し、真信号書き込み部１ｃにおける真信号データの書き込み有無の判定処理は、請求項１又は請求項５記載の真信号書込判定手段に対応し、真信号書き込み部１ｃにおける真信号データの生成及び書き込み処理は、請求項１乃至請求項４のいずれか１項に記載の真信号書込手段に対応し、磁気カード判定部１ｂにおける、対象の磁気カードが偽造カードであるか否かを判別する処理は、請求項１又は請求項５記載の偽造判別手段に対応する。【００５３】
更に、図４及び図５に基づき、上記実施の形態の変形例を説明する。ここで、図４（ａ）は、磁気ストライプに記録されているデータの暗号化前後の信号波形を示す図であり、（ｂ）は、同期信号データの暗号化前後の信号波形を示す図である。また、図５は、公開鍵データ、暗証番号データ及び承認信号データを利用した暗号化を行う場合の、偽造カード判別システム１の動作処理を示すフローチャートである。
本変形例では、上記実施の形態における、磁気カード判定部１ｂにおいて、不図示のカード挿入部に挿入された磁気カードに対して、公開鍵データ（例えば、所定桁の数字列から構成）の書き込み有無の判定を行う（上記実施の形態における暗号化有無の判定処理に該当する）。そして、公開鍵データが、磁気カードにおける磁気記録媒体（磁気ストライプ）の所定記録位置に書き込まれていない場合は、当該磁気カードは暗号化されていないと判定し、真信号書き込み部１ｃにおいて、公開鍵データを生成して、これを前記磁気ストライプの所定記録位置に書き込む。【００５４】
ここで、公開鍵データは、後段の処理において真信号データの生成や書き込み位置の判別などに用いられるため、公開鍵データが所定記録位置に書き込まれていない場合は、真信号データも書き込まれていない（つまり、暗号化されていない）と判断する。従って、真信号書き込み部１ｃは、引き続き前記生成した公開鍵データと、不図示の入力部を介してカード所有者によって入力された暗証番号データと、磁気ストライプに書き込まれた承認信号データとに基づき、前記磁気ストライプの所定記録位置に記録されたアナログ信号データを暗号化して真信号（アナログ信号）データを生成する。【００５５】
具体的には、まず、公開鍵データ、暗証番号データ及び承認信号データ（これらの３つのデータは、暗号生成用データに対応する）によって暗号化するデータ信号位置を決定する。次に、図４（ａ）の上図に示すように、磁気ストライプに記録されたデータ信号波形（アナログ信号波形）における、上記決定された位置の信号波形を、図４（ａ）の下図に示すように変形させることで暗号化を行う。なお、この変形後のアナログ信号波形をＡ／Ｄ変換したデジタルデータと、変形前のアナログ信号波形をＡ／Ｄ変換したデジタルデータとは同じデータ内容となる。真信号書き込み部１ｃは、この暗号化によって生成された真信号データを、磁気ストライプの前記暗号化前の信号と同じ記録位置に書き込む。ここで、真信号データの書き込み位置は、上記実施の形態と同様に、前記ＳＴＸ信号データの書き込み位置前部、及び前記ＥＴＸ信号データの書き込み位置後部の少なくとも一方でも良いし、それ以外の記録位置でも良い。【００５６】
一方、本変形例においては、真信号書き込み部１ｃにおいて、前記所定記録位置に公開鍵データが書き込まれている（つまり、暗号化されている）と判定された場合は、当該公開鍵データと、前記暗証番号データと、前記承認信号データとに基づき、これらのデータによって特定される記録位置に、真信号データが書き込まれているか否かを判定する。そして、真信号データが書き込まれていないと判定された場合は、磁気カード判定部１ｂにおいて、対象の磁気カードが偽造カードであると判別する。【００５７】
更に、本変形例では、真信号書き込み部１ｃにおいて、上記公開鍵データ、上記暗証番号データ及び上記承認信号データに基づき、磁気カードの磁気ストライプに書き込まれた同期信号データを暗号化して、暗号化前の同期信号データを、前記暗号化した同期信号データに書き換える。ここで、同期信号データとは、例えば、キャッシュカードの磁気ストライプに記録されたＪＩＳIIデータを読み出すときの同期信号の信号波形（アナログ信号）データである。例えば、同期信号データは、図４（ｂ）の上図に示すようなパルス波形をしており、磁気ストライプに書き込まれている。そして、本実施の形態においては、図４（ｂ）の下図に示すように、図４（ｂ）の上図に示すパルス波形の幅を広げる方向に変更して、同期信号データの暗号化を行う（勿論、幅を狭める方向に変更しても良い）。この幅の変更は、同期信号としての本来の機能を損なわないレベルで行われる。【００５８】
そして、真信号書き込み部１ｃにおいて、上記真信号データの書き込み有無の判定において、真信号データが書き込まれていると判定された場合は、更に、上記公開鍵データ、上記暗証番号データ及び上記承認信号データに基づき、これらのデータによって特定される記録位置に、上記暗号化された同期信号データが書き込まれているか否かを判定する。この判定において、暗号化された同期信号データが書き込まれていないと判定された場合は、磁気カード判定部１ｂにおいて、対象の磁気カードが偽造カードであると判別し、暗号化された同期信号データが書き込まれていると判定された場合は、磁気カード判定部１ｂにおいて、対象の磁気カードは真正カードであると判別する。【００５９】
更に、図５に基づき、公開鍵データ、暗証番号データ及び承認信号データを利用した暗号化を行った場合の、偽造カード判別システム１の動作処理の流れを説明する。なお、上記実施の形態と同様に、磁気カードがキャッシュカードである場合について動作処理の流れを説明する。
カード挿入部（不図示）にキャッシュカードが挿入されると、図５に示すように、まずステップＳ２００に移行し、磁気カード読み取り部１ａにおいて、キャッシュカードの磁気ストライプから１トラックのＪＩＳIIデータを読み出してステップＳ２０２に移行する。【００６０】
ステップＳ２０２では、磁気カード判定部１ｂにおいて、キャッシュカードの磁気ストライプにおける所定記録位置に公開鍵データが書き込まれているか否かを判定し、書き込まれていると判定された場合（Ｙｅｓ）は、ステップＳ２０４に移行し、書き込まれていないと判定された場合（Ｎｏ）は、ステップＳ２１４に移行する。
ステップＳ２０４に移行した場合は、磁気カード判定部１ｂにおいて、前記挿入されたキャッシュカード所有者の暗証番号データを取得したか否かを判定し、取得したと判定された場合（Ｙｅｓ）は、ステップＳ２０６に移行し、そうでない場合（Ｎｏ）は、取得するまで判定処理を繰り返す。【００６１】
ステップＳ２０６に移行した場合は、真信号書き込み部１ｃにおいて、キャッシュカードの磁気ストライプにおける、公開鍵データ、暗証番号データ及びＪＩＳIIデータに基づき特定される記録位置に、真信号（アナログ信号）データが書き込まれているか否かを判定し、書き込まれていると判定された場合（Ｙｅｓ）は、ステップＳ２０８に移行し、書き込まれていないと判定された場合（Ｎｏ）は、ステップＳ２１２に移行する。
ステップＳ２０８に移行した場合は、真信号書き込み部１ｃにおいて、キャッシュカードの磁気ストライプにおける、公開鍵データ、暗証番号データ及びＪＩＳIIデータに基づき特定される記録位置に、暗号化同期信号（アナログ信号）データが書き込まれているか否かを判定し、書き込まれていると判定された場合（Ｙｅｓ）は、ステップＳ２１０に移行し、書き込まれていないと判定された場合（Ｎｏ）は、ステップＳ２１２に移行する。【００６２】
ステップＳ２１０に移行した場合は、磁気カード判定部１ｂにおいて、対象のキャッシュカードは真正カードであると判別して処理を終了する。
一方、ステップＳ２１２に移行した場合は、磁気カード判定部１ｂにおいて、対象のキャッシュカードは偽造カードであると判別して処理を終了する。
また、ステップＳ２０２において、所定記録位置に公開鍵データが書き込まれておらずステップＳ２１４に移行した場合は、磁気カード判定部１ｂにおいて、前記挿入されたキャッシュカード所有者の暗証番号データを取得したか否かを判定し、取得したと判定された場合（Ｙｅｓ）は、ステップＳ２１６に移行し、そうでない場合（Ｎｏ）は、取得するまで判定処理を繰り返す。【００６３】
ステップＳ２１６に移行した場合は、真信号書き込み部１ｃにおいて、公開鍵データを生成し、当該生成した公開鍵データを前記所定記録位置に書き込んでステップＳ２１８に移行する。
ステップＳ２１８では、真信号書き込み部１ｃにおいて、公開鍵データ、暗証番号データ及びＪＩＳIIデータに基づき決定された記録位置のデータ信号波形を暗号化して真信号データを生成し、当該生成した真信号データを暗号化前の信号と同じ記録位置に書き込んで、ステップＳ２２０に移行する。【００６４】
ステップＳ２２０では、真信号書き込み部１ｃにおいて、公開鍵データ、暗証番号データ及びＪＩＳIIデータに基づき決定された記録位置の同期信号データを暗号化し、暗号化前の同期信号データを、暗号化した同期信号データに書き換えて処理を終了する。
上記変形例において、磁気カード判定部１ｂにおける公開鍵データの書き込み有無（暗号化有無）の判定処理は、請求項７、９及び１０のいずれか１項に記載の暗号化判定手段、又は請求項１２記載の公開鍵データ書込判定手段に対応し、真信号書き込み部１ｃにおける真信号データの書き込み有無の判定処理は、請求項７、８、１２、１３及び１４のいずれか１項に記載の真信号書込判定手段に対応し、真信号書き込み部１ｃにおける真信号データの生成及び書き込み処理は、請求項７、１２、１３及び１７のいずれか１項に記載の真信号書込手段に対応し、真信号書き込み部１ｃにおける同期信号データの暗号化及び書き込み処理は、請求項８、９、１４、１５及び１６のいずれか１項に記載の暗号化同期信号書込手段に対応し、真信号書き込み部１ｃにおける暗号化された同期信号データの書き込み有無の判定処理は、請求項８、９、１４及び１６のいずれか１項に記載の暗号化同期信号書込判定手段に対応し、磁気カード判定部１ｂにおける、対象の磁気カードが偽造カードであるか否かを判別する処理は、請求項７、８、９、１２及び１４のいずれか１項に記載の偽造判別手段に対応する。【００６５】
また、上記変形例において、不図示の暗証番号データの入力部は、請求項１２、１３、１４及び１６のいずれか１項に記載の暗証番号データ取得手段に対応する。
なお、上記変形例においては、公開鍵データ、暗証番号データ及び承認信号データ（例えば、ＪＩＳIIデータ）に基づき決定された記録位置のデータを暗号化して真信号データを生成する構成となっているが、これに限らず、公開鍵データ、暗証番号データ及び承認信号データ（例えば、ＪＩＳIIデータ）の少なくとも１つに基づき決定された記録位置のデータを暗号化して真信号データを生成する構成としても良い。また、公開鍵データ、暗証番号データ及び承認信号データ（例えば、ＪＩＳIIデータ）の少なくとも１つを、暗号化対象のデータの記録位置の決定に限らず、アナログ波形の変形量の決定など暗号化に係る他の処理に使用する構成としても良い。【００６６】
また、上記実施の形態及び変形例においては、承認信号データがＪＩＳIIデータであるキャッシュカードを例に説明をしたが、これに限らず、本発明は、承認信号データがＪＩＳIデータであるクレジットカードなど他のデータ形式の磁気カードに対しても適用可能である。
また、上記実施の形態及び変形例においては、特定データ（暗号化判定用データ）又は公開鍵データが磁気カードの所定記録位置に書き込まれているか否かを判定することで、磁気カードが暗号化されているか否かを判定する構成としたが、これに限らず、例えば、情報センター等の外部サーバなどにアクセスして、そこに公開鍵データが登録されているか否かを判定することで、対象の磁気カードが暗号化されているか否かを判定するなど他の構成としても良い。
【産業上の利用の可能性】
【００６７】
以上説明したように、本発明に係る偽造カード判別システム、真偽判定情報書込装置及び偽造カード判別装置によれば、キャッシュカードやクレジットカードなどの既存の磁気カードに、当該磁気カードが、偽造カードであるか否かを簡易に判別することができる真信号データを書き込むことができると共に、当該真信号データに基づき、対象の磁気カードが偽造カードであるか否かを簡易に判別することが可能である。
また、真信号データを、承認信号データとは異なる領域に書き込むようにしたので、承認信号データと一緒に読み出されて解析されるといったことを防ぐことが可能である。
【００６８】
また、磁気カードに公開鍵データを書き込むと共に、当該公開鍵データ、磁気カードの持ち主の暗証番号データ及び承認信号データに基づき、磁気記録媒体の所定記録位置のデータを暗号化して前記真信号データを生成するようにしたので、より安全性の高い暗号化を行うことが可能である。
また、磁気カードに書き込まれた同期信号データを暗号化して書き込み、真信号データの書き込み有無の判定に加え、暗号化した同期信号データの書き込み有無の判定もして偽造判別を行うようにしたので、より確実に、対象の磁気カードが偽造カードであるか否かを判別することが可能である。
【図１】
2008032351.tif 000003
【図２】
2008032351.tif 000004
【図３】
2008032351.tif 000005
【図４】
2008032351.tif 000006
【図５】
2008032351.tif 000007
【国際調査報告】
2008032351.tif 000008
2008032351.tif 000009
2008032351.tif 000010